(57)【要約】【課題】半透過反射膜を用いること無く、また、液晶表示素子の複数の画素毎に反射表示部と透過表示部を形成すること無く反射表示と透過表示とを行う。【解決手段】液晶表示素子１と、液晶表示素子１の観察側とは反対側に配置された面光源１５と、液晶表示素子１と面光源１５との間に配置され、透明なシート状部材の一方の面に複数のプリズム部２９，３１が形成されたプリズムアレイ２８，３０からなり、観察側から入射し、液晶表示素子１を透過した光を前記プリズムアレイ２８，３０により液晶表示素子１に向けて反射する反射手段２７とを備える。【選択図】図１
2009157276.tif 000002
【特許請求の範囲】
【請求項１】
対向配置された一対の基板間に液晶層が封入され、前記一対の基板の互いに対向する内面の少なくとも一方に、電圧の印加により液晶分子の配向状態を変化させて光の透過を制御する複数の電極が設けられ、前記一対の基板の外面にそれぞれ偏光板が配置された液晶表示素子と、
前記液晶表示素子の観察側とは反対側に配置され、前記液晶表示素子に向けて照明光を照射する面光源と、
前記液晶表示素子と前記面光源との間に配置され、透明なシート状部材の一方の面に複数のプリズム部が形成されたプリズムアレイからなり、前記観察側から入射し、前記液晶表示素子を透過した光を前記プリズムアレイにより前記液晶表示素子に向けて反射する反射手段と、
を備えることを特徴とする液晶表示装置。
【請求項２】
反射手段は、液晶表示素子の法線方向を中心とする二等辺三角形状の断面形状を有する複数のプリズム部が形成されたプリズムアレイからなっていることを特徴とする請求項１に記載の液晶表示装置。
【請求項３】
反射手段は、直線状の複数のプリズム部が互いに平行に形成された第１のプリズムアレイと、前記第１のプリズムアレイの液晶表示素子と面光源のいずれか一方に対向する面側に配置され、前記第１のプリズムアレイの複数のプリズム部と実質的に直交する直線状の複数のプリズム部が互いに平行に形成された第２のプリズムアレイとからなっていることを特徴とする請求項１または２に記載の液晶表示装置。
【請求項４】
液晶表示素子と反射手段との間に、互いに直交する方向に透過軸と反射軸とを有し、入射光のうちの前記透過軸と平行な偏光成分の光を透過させ、前記反射軸と平行な偏光成分の光を反射する反射偏光板が、前記透過軸を前記液晶表示素子の観察側とは反対側の偏光板の透過軸と平行にして配置され、前記反射偏光板と前記反射手段との間に、透過光の常光と異常光との間に１／４波長の位相差を与えるλ／４位相差板が配置されていることを特徴とする請求項１に記載の液晶表示装置。
【請求項５】
液晶表示素子と反射偏光板との間に、５５〜８５％のヘイズ値を有する拡散層が設けられていることを特徴とする請求項４に記載の液晶表示装置。
【請求項６】
液晶表示素子は、赤、緑、青の３色のフィルタからなるカラーフィルタを備えており、前記カラーフィルタは、このカラーフィルタを往復して透過した着色光のＣＩＥ色度図上におけるホワイトポイントのｘコーディネイト値とｙコーディネイト値が、ｘ＝０．２８０〜０．３２０、ｙ＝０．２８５〜０．３２５の範囲となる分光特性を有していることを特徴とする請求項１に記載の液晶表示装置。
【請求項７】
カラーフィルタは、このカラーフィルタの分光分布曲線の積分値を２乗して求めたホワイトポイントのｘコーディネイト値とｙコーディネイト値が、ｘ＝０．２８０〜０．３２０、ｙ＝０．２８５〜０．３２５の範囲となる分光特性を有していることを特徴とする請求項６に記載の液晶表示装置。
【請求項８】
カラーフィルタは、このカラーフィルタを往復して透過した着色光のＣＩＥ色度図上におけるホワイトポイントのｘコーディネイト値とｙコーディネイト値が、ｘ＝０．２９５〜０．３０５、ｙ＝０．３０５〜０．３２５の範囲となる分光特性を有していることを特徴とする請求項６または７に記載の液晶表示装置。
【請求項９】
面光源は、青色発光ダイオードの出射側に、赤色の蛍光と緑色の蛍光とを発する蛍光層が設けられた擬似白色発光素子を備えていることを特徴とする請求項６に記載の液晶表示装置。
【請求項１０】
擬似白色発光素子は、４５０〜４７０ｎｍ、５２０〜５５０ｎｍ、６２０〜６５０ｎｍの各波長帯域にそれぞれ光強度のピークをもった擬似白色光を発することを特徴とする請求項９に記載の液晶表示装置。
【請求項１１】
擬似白色発光素子は、４６５±２ｎｍ、５３５±２ｎｍ、６３５±２ｎｍの各波長にそれぞれ光強度のピークをもった擬似白色光を発することを特徴とする請求項９に記載の液晶表示装置。
【発明の詳細な説明】
【技術分野】
【０００１】
この発明は、反射／透過型の液晶表示装置に関する。
【背景技術】
【０００２】
外光を利用する反射表示と、観察側とは反対側に配置された面光源からの照明光を利用する透過表示とを行う反射／透過型液晶表示装置としては、液晶表示素子の観察側とは反対側に面光源を配置し、前記液晶表示素子の液晶層よりも後側（面光源側）に半透過反射膜を配置したもの（特許文献１参照）と、液晶表示素子の観察側とは反対側に面光源を配置し、且つ前記液晶表示素子の複数の画素をそれぞれ２つの領域に区分し、その一方の領域の液晶層よりも後側に反射膜を設けることにより、前記複数の画素毎に反射表示部と透過表示部とを形成したもの（特許文献１参照）とがある。
【特許文献１】特開２００２−１０７７２５号公報
【特許文献１】特開２００４−  ９３７１５号公報
【発明の開示】
【発明が解決しようとする課題】
【０００３】
この発明は、半透過反射膜を用いること無く、また、液晶表示素子の複数の画素毎に反射表示部と透過表示部を形成すること無く反射表示と透過表示とを行うことができる液晶表示装置を提供することを目的としたものである。
【課題を解決するための手段】
【０００４】
この発明の請求項１に記載の液晶表示装置は、
対向配置された一対の基板間に液晶層が封入され、前記一対の基板の互いに対向する内面の少なくとも一方に、電圧の印加により液晶分子の配向状態を変化させて光の透過を制御する複数の電極が設けられ、前記一対の基板の外面にそれぞれ偏光板が配置された液晶表示素子と、
前記液晶表示素子の観察側とは反対側に配置され、前記液晶表示素子に向けて照明光を照射する面光源と、
前記液晶表示素子と前記面光源との間に配置され、透明なシート状部材の一方の面に複数のプリズム部が形成されたプリズムアレイからなり、前記観察側から入射し、前記液晶表示素子を透過した光を前記プリズムアレイにより前記液晶表示素子に向けて反射する反射手段と、
を備えることを特徴とする。
【０００５】
請求項２に記載の発明は、前記請求項１に記載の液晶表示装置において、前記反射手段は、前記液晶表示素子の法線方向を中心とする二等辺三角形状の断面形状を有する複数のプリズム部が形成されたプリズムアレイからなっていることを特徴とする。
【０００６】
請求項３に記載の発明は、前記請求項１または２に記載の液晶表示装置において、前記反射手段は、直線状の複数のプリズム部が互いに平行に形成された第１のプリズムアレイと、前記第１のプリズムアレイの液晶表示素子と面光源のいずれか一方に対向する面側に配置され、前記第１のプリズムアレイの複数のプリズム部と実質的に直交する直線状の複数のプリズム部が互いに平行に形成された第２のプリズムアレイとからなっていることを特徴とする。
【０００７】
請求項４に記載の発明は、前記請求項１に記載の液晶表示装置において、前記液晶表示素子と前記反射手段との間に、互いに直交する方向に透過軸と反射軸とを有し、入射光のうちの前記透過軸と平行な偏光成分の光を透過させ、前記反射軸と平行な偏光成分の光を反射する反射偏光板が、前記透過軸を前記液晶表示素子の観察側とは反対側の偏光板の透過軸と平行にして配置され、前記反射偏光板と前記反射手段との間に、透過光の常光と異常光との間に１／４波長の位相差を与えるλ／４位相差板が配置されていることを特徴とする。
【０００８】
請求項５に記載の発明は、前記請求項１に記載の液晶表示装置において、前記液晶表示素子と前記反射偏光板との間に、５５〜８５％のヘイズ値を有する拡散層が設けられていることを特徴とする。
【０００９】
請求項６に記載の発明は、前記請求項１に記載の液晶表示装置において、前記液晶表示素子は、赤、緑、青の３色のフィルタからなるカラーフィルタを備えており、前記カラーフィルタは、このカラーフィルタを往復して透過した着色光のＣＩＥ色度図上におけるホワイトポイントのｘコーディネイト値とｙコーディネイト値が、ｘ＝０．２８０〜０．３２０，ｙ＝０．２８５〜０．３２５の範囲となる分光特性を有していることを特徴とする。
【００１０】
請求項７に記載の発明は、前記請求項６に記載の液晶表示装置において、前記カラーフィルタは、このカラーフィルタの分光分布曲線の積分値を２乗して求めたホワイトポイントのｘコーディネイト値とｙコーディネイト値が、ｘ＝０．２８０〜０．３２０，ｙ＝０．２８５〜０．３２５の範囲となる分光特性を有していることを特徴とする。
【００１１】
請求項８に記載の発明は、前記請求項６または７に記載の液晶表示装置において、前記カラーフィルタは、このカラーフィルタを往復して透過した着色光のＣＩＥ色度図上におけるホワイトポイントのｘコーディネイト値とｙコーディネイト値が、ｘ＝０．２９５〜０．３０５，ｙ＝０．３０５〜０．３２５の範囲となる分光特性を有していることを特徴とする。
【００１２】
請求項９に記載の発明は、前記請求項６に記載の液晶表示装置において、前記面光源は、青色発光ダイオードの出射側に、赤色の蛍光と緑色の蛍光とを発する蛍光層が設けられた擬似白色発光素子を備えていることを特徴とする。
【００１３】
請求項１０に記載の発明は、前記請求項９に記載の液晶表示装置において、前記擬似白色発光素子は、４５０〜４７０ｎｍ、５２０〜５５０ｎｍ、６２０〜６５０ｎｍの各波長帯域にそれぞれ光強度のピークをもった擬似白色光を発することを特徴とする。
【００１４】
請求項１１に記載の発明は、前記請求項９に記載の液晶表示装置において、前記擬似白色発光素子は、４６５±２ｎｍ、５３５±２ｎｍ、６３５±２ｎｍの各波長にそれぞれ光強度のピークをもった擬似白色光を発することを特徴とする。
【発明の効果】
【００１５】
この発明の液晶表示装置によれば、半透過反射膜を用いること無く、また、液晶表示素子の複数の画素毎に反射表示部と透過表示部を形成すること無く反射表示と透過表示とを行うことができる。
【発明を実施するための最良の形態】
【００１６】
図１〜図１３はこの発明の一実施例を示しており、図１は液晶表示装置の分解斜視図、図２は前記液晶表示装置の側面図である。
【００１７】
この液晶表示装置は、反射表示と透過表示とを行うものであり、図１及び図２のように、液晶表示素子１と、前記液晶表示素子１の観察側とは反対側（以下、後側という）に配置され、前記液晶表示素子１に向けて照明光を照射する面光源１５と、前記液晶表示素子１と面光源１５との間に配置され、前記観察側から入射し、前記液晶表示素子１を透過した光を前記液晶表示素子１に向けて反射する反射手段２７とを備えている。
【００１８】
図３は前記液晶表示素子１の一部分の拡大断面図であり、この液晶表示素子１は、予め定めた間隙を設けて対向配置された一対の透明基板２，３と、前記一対の基板２，３間の間隙に封入された液晶層１１と、前記一対の基板１，２の互いに対向する内面の少なくとも一方、例えば前記一対の基板１，２それぞれの内面に設けられ、電圧の印加により前記液晶層１１の液晶分子の配向状態を変化させて光の透過を制御する透明電極６，４と、前記一対の基板２，３の外面にそれぞれ貼付けられた一対の偏光板１２，１３とにより構成されている。なお、前記一対の偏光板１２，１３のうちの観察側の偏光板１２は、その外面に外光の反射防止処理が施されたアンチグレア偏光板からなっている。
【００１９】
この液晶表示素子１は、例えばアクティブマトリックス液晶表示素子であり、前記一対の基板２，３の一方、例えば後側基板３の内面に、行方向及び列方向にマトリックス状に配列された複数の画素電極４と、これらの画素電極４にそれぞれ対応させて配置された複数のＴＦＴ（薄膜トランジスタ）５と、各行の複数のＴＦＴ５にゲート信号を供給する複数の走査線及び各列の複数のＴＦＴ５にデータ信号を供給する複数の信号線（いずれも図示せず）とが設けられ、他方の基板、つまり観察側基板２の内面に、前記複数の画素電極４と対向する一枚膜状の対向電極６が設けられている。
【００２０】
なお、図３では前記ＴＦＴ５を簡略化しているが、このＴＦＴ５は、前記後側基板３の基板面上に形成されたゲート電極と、前記基板面上の略全体に前記ゲート電極を覆って設けられた透明なゲート絶縁膜と、前記ゲート絶縁膜の上に前記ゲート電極と対向させて形成されたｉ型半導体膜と、このｉ型半導体膜の両側部の上にそれそれｎ型半導体膜を介して形成されたドレイン電極及びソース電極とからなっており、前記複数の画素電極４は、前記ゲート絶縁膜の上に形成され、これらの画素電極４にそれぞれ対応するＴＦＴ５のソース電極に接続されている。
【００２１】
また、前記複数の走査線は、前記後側基板３の板面上に、各画素電極行毎にその一側に沿わせて形成され、各行の複数のＴＦＴ５のゲート電極にそれぞれ接続されており、前記複数の信号線は、前記ゲート絶縁膜の上に、各画素電極列毎にその一側に沿わせて形成され、各列の複数のＴＦＴのドレイン電極にそれぞれ接続されている。
【００２２】
さらに、この液晶表示素子１は、前記複数の画素電極４と対向電極６とが互いに対向する領域からなる複数の画素にそれぞれ対応させて設けられた赤、緑、青の３色のフィルタ７Ｒ，７Ｇ，７Ｂからなるカラーフィルタ７を備えている。なお、このカラーフィルタ７は、前記一対の基板のいずれか一方、例えば観察側基板２の内面に設けられており、前記対向電極６は、前記カラーフィルタ７の上に形成されている。
【００２３】
また、前記一対の基板２，３の内面にはそれぞれ、前記電極４，６を覆って配向膜８，９が形成されており、前記一対の基板２，３の内面は、前記配向膜８，９の膜面をそれぞれ予め定めた方向にラビングすることにより配向処理されている。
【００２４】
そして、前記一対の基板２，３は、前記複数の画素がマトリックス状に配列した画面エリアを囲む枠状のシール材１０（図１及び図２参照）を介して接合されており、これらの基板２，３間の前記シール材１０で囲まれた領域に液晶層１１が封入されている。
【００２５】
さらに、前記後側基板３は、図１及び図２に示したように、観察側基板２の外方に突出する張出部３ａを有しており、前記後側基板３の内面に設けられた複数の走査線及び信号線は、前記張出部３ａに搭載された表示ドライバ１４に接続されている。
【００２６】
一方、前記面光源１５は、図１及び図２のように、前記液晶表示素子１の画面エリアの全体に対応する面積を有する板状の透明部材からなり、その一端面に光を入射させる入射面１７が形成され、前記液晶表示素子１に対向する板面に前記入射面１７から入射した光の出射面１８が形成され、前記出射面１８とは反対側に反射膜１９が設けられた導光板１６と、この導光板１６の入射面１７に対向させて配置され、前記入射面１７に向けて光を発する複数（図１では３個）の発光素子２０とにより構成されている。
【００２７】
前記面光源１５は、前記複数の発光素子２０が発する光を前記導光板１６により導いて前記液晶表示素子１に向けて照射するものであり、前記複数の発光素子２０は、前記面光源１５からの照明光を利用する透過表示を行うときに点灯される。
【００２８】
そして、前記複数の発光素子２０から出射した光は、前記導光板１６に前記入射面１７から入射し、前記反射膜１９による反射と前記導光板１６の出射面１８による内面反射とを繰り返しながら前記導光板１６内をその全域に導かれ、前記導光板１６の出射面１８の全体から前記液晶表示素子１に向かって出射する。
【００２９】
なお、この実施例の面光源１５は、前記導光板１６の出射面１８とは反対側の板面に前記反射膜１９を形成したものであるが、前記反射膜１９を前記導光板１６との間に間隙を設けて配置し、前記導光板１６に前記入射面１７から入射した光を、前記導光板１６の出射面１８とは反対側の板面により前記出射面１８に向けて内面反射し、反対側の板面と前記間隙内の空気層との界面を透過した漏れ光を前記反射膜１９により反射して前記導光板１６内に戻すようにしてもよい。
【００３０】
また、前記液晶表示素子１と面光源１５との間に配置された反射手段２７は、図１及び図２のように、第１のプリズムアレイ２８と、前記第１のプリズムアレイ２８の前記液晶表示素子１と面光源１５のいずれか一方に対向する面側、例えば前記面光源１５に対向する面側に配置された第２のプリズムアレイ３０とからなっており、前記観察側から入射し、前記液晶表示素子１を透過した光を、前記第１と第２のプリズムアレイ２８，３０により前記液晶表示素子１に向けて反射する。
【００３１】
前記第１と第２のプリズムアレイ２８，３０はいずれも、アクリル樹脂等からなる透明なシート状部材の一方の面に直線状の複数のプリズム部２９，３１が互いに平行に形成されたものであり、第１のプリズムアレイ２８の複数のプリズム部２９は、予め定めた方向、例えば前記液晶表示素子１の画面エリアの左右方向と平行な直線状に形成され、第２のプリズムアレイ３０の複数のプリズム部３１は、前記第１のプリズムアレイ２８の複数のプリズム部２９の長さ方向に対して実質的に直交する直線状に形成されている。
【００３２】
図４は前記第１と第２のプリズムアレイ２８，３０の一方、例えば第１プリズムアレイ２８の一部分の拡大図であり、前記第１と第２のプリズムアレイ２８，３０の複数のプリズム部２９，３１はそれぞれ、前記液晶表示素子１の法線方向（液晶表示素子１の基板２，３面に垂直な方向）を中心とする二等辺三角形状で、且つ頂角が８０°〜１００°の範囲、好ましくは実質的に９０°に設定された断面形状を有している。
【００３３】
前記第１と第２のプリズムアレイ２８，３０はそれぞれ、図４に第１のプリズムアレイ２８における反射及び透過光線を示したように、プリズム部形成面側から入射した光を、隣合う一方のプリズム部２９，３１の傾斜面と他方のプリズム部２９，３１の傾斜面とにより順次反射して前記プリズム部形成面の外方に出射し、前記プリズム部形成面とは反対面側から入射した光を、各プリズム部２９，３１の両側の傾斜面により順次内面反射して前記反対面から出射する。
【００３４】
この第１と第２のプリズムアレイ２８，３０による光の反射は、前記複数のプリズム部２９，３１の傾斜面と外気である空気層との界面による反射であり、前記プリズム部形成面側から入射した光のうちの前記界面を透過してプリズム部２９，３１内に入射した光は、前記プリズムアレイ２８，３０の反対面から出射し、前記反対面側から入射した光のうちの前記界面を透過した光は、前記プリズム部形成面の外方に出射する。
【００３５】
なお、前記複数のプリズム部２９，３１の傾斜面と空気層との界面に入射した光は、前記界面と平行な方向に振動する光ほど高い反射率で反射され、前記界面に対して垂直な方向に振動する光ほど高い透過率で透過するため、前記プリズムアレイ２８，３０により反射された光はそれぞれ、前記複数のプリズム部２９，３１の傾斜面と平行な振動光の割合が多い光であり、前記プリズムアレイ２８，３０を透過した光はそれぞれ、前記複数のプリズム部２９，３１の傾斜面に対して垂直な振動光の割合が多い光である。
【００３６】
そして、前記反射偏光板３２は、前記第１のプリズムアレイ２８を、プリズム部形成面とその反対面のいずれか一方、例えばプリズム部形成面を前記液晶表示素子１側に向けて配置し、前記第１のプリズムアレイ２８の前記面光源１５に対向する面側に、前記第２のプリズムアレイ３０を、その複数のプリズム部３１の頂部を前記第１のプリズムアレイ２８の前記反対面に当接または近接させて配置することにより構成されている。
【００３７】
また、この液晶表示装置は、図１及び図２に示したように、前記液晶表示素子１と前記反射手段２７との間に配置された反射偏光板３２と、前記反射偏光板３２と前記反射手段２７との間に配置された位相差板３３とを備えている。
【００３８】
前記反射偏光板３２は、互いに直交する方向に透過軸３２ａと反射軸３２ｂとを有し（図５参照）、入射光のうちの前記透過軸３２ａと平行な偏光成分の光を透過させ、前記反射軸３２ｂと平行な偏光成分の光を反射する偏光板であり、前記位相差板３３は、透過光の常光と異常光との間に１／４波長の位相差を与えるλ／４位相差板からなっている。
【００３９】
図５は前記液晶表示素子１の液晶層１１の液晶分子配向方向及び一対の偏光板１２，１３の透過軸１２ａ，１３ａの向きと、前記反射偏光板３２の透過軸３２ａ及び反射軸３２ｂの向きと、前記λ／４位相差板３３の遅相軸３３ａの向きとを示している。
【００４０】
前記液晶表示素子１は、例えばＴＮ型液晶表示素子であり、前記一対の基板２，３のうちの観察側基板２の内面（配向膜８の膜面）は、画面エリアの横軸（一点鎖線）に対して観察側から見て左回りに４５°の方向２ａに配向処理され、後側基板２の内面（配向膜８の膜面）は、前記横軸に対して観察側から見て右回りに４５°の方向３ａに配向処理されており、前記液晶層１１の液晶分子は、前記後側基板２から観察側基板２に向かって観察側から見て右回りに実質的に９０°のツイスト角でツイスト配向している。そして、観察側の偏光板１２は、その透過軸１２ａ，１３ａを前記観察側基板２の配向処理方向２ａと直交させるかまたは平行にして配置され、後側の偏光板１３は、その透過軸１３ａを前記観察側偏光板１２の透過軸１２ａと直交させるかまたは平行にして配置されている。
【００４１】
また、前記反射偏光板３２は、その透過軸３２ａと反射軸３２ｂのうちの前記透過軸１２ａを前記液晶表示素子１の観察側とは反対側の偏光板１３の透過軸１３ａと平行にして配置され、前記λ／４位相差板３３は、その遅相軸３３ａを、前記反射偏光板３２の透過軸３２ａに対して観察側から見て右回りに４５°の方向（前記横軸と平行な方向）に向けて配置されている。
【００４２】
さらに、この液晶表示装置は、図１及び図２に示したように、前記液晶表示素子１と前記反射偏光板３２との間に設けられた第１の拡散層３４と、前記面光源１５と前記反射手段２７との間に設けられた第２の拡散層３５とを備えており、前記第１の拡散層３４は、５５〜８５％のヘイズ値を有し、前記第２の拡散層３５は、２０〜５０％のヘイズ値を有している。
【００４３】
なお、前記第１の拡散層３４は、例えば光散乱粒子を分散させた透明な粘着剤層からなっており、前記反射偏光板３２は、前記第１の拡散層３４を介して前記液晶表示素子１の後側偏光板１３の外面に貼付けられている。また、前記第２の拡散層３５は、例えば光散乱粒子を分散させた透明な樹脂シートからなっており、前記面光源１５の導光板１６の出射面１８に貼付けられている。
【００４４】
この液晶表示装置は、前記液晶表示素子１の後側（観察側とは反対側）に、前記液晶表示素子１に向けて照明光を照射する面光源１５を配置し、前記液晶表示素子１と前記面光源１５との間に、透明なシート状部材の一方の面に複数のプリズム部２９，３１が形成された第１と第２のプリズムアレイ２８，３０からなる反射手段２７を配置しているため、前記観察側から入射し、前記液晶表示素子１を透過した光を前記反射手段２７により前記液晶表示素子１に向けて反射し、また、前記面光源１５からの照明光を、前記反射手段２７を透過させて前記液晶表示素子１に向けて照射することができ、したがって、従来の反射／透過型液晶表示装置のように半透過反射膜を用いること無く、また、液晶表示素子の複数の画素毎に反射表示部と透過表示部を形成すること無く、外光を利用する反射表示と、前記面光源１５からの照明光を利用する透過表示とを行うことができる。
【００４５】
しかも、この液晶表示装置は、前記反射手段２７を、直線状の複数のプリズム部２９が互いに平行に形成された第１のプリズムアレイ２８と、前記第１のプリズムアレイ２８の前記面光源１５に対向する面側に配置され、前記第１のプリズムアレイ２８の複数のプリズム部２９と実質的に直交する直線状の複数のプリズム部３１が互いに平行に形成された第２のプリズムアレイ３０とにより構成しているため、前記反射表示において、前記観察側から入射し、前記液晶表示素子１を透過して前記反射手段２７に入射した光を、まず前記第１のプリズムアレイ２８により反射し、この第１のプリズムアレイ２８を反射されずに透過した光を第２のプリズムアレイ３０により反射することができ、したがって、前記反射表示の輝度を高くすることができる。
【００４６】
すなわち、前記第１のプリズムアレイ２８及び第２のプリズムアレイ３０はそれぞれ、前記複数のプリズム部２９，３１の傾斜面と空気層との界面に入射した光を、前記界面と平行な方向に振動する光ほど高い反射率で反射する。そして、前記第１のプリズムアレイ２８を反射されずに透過した光は、この第１のプリズムアレイ２８の複数のプリズム部２９の傾斜面に対して垂直な振動光の割合が多い光であり、それに対して、前記第２のプリズムアレイ３０の複数のプリズム部３１は、前記第１のプリズムアレイ２８のプリズム部２９の長さ方向と直交する直線状に形成されているため、前記第１のプリズムアレイ２８を反射されずに透過した光が、前記第２のプリズムアレイ３０により高い反射率で反射される。
【００４７】
さらに、この液晶表示装置は、前記液晶表示素子１と前記反射手段２７との間に反射偏光板３２を配置し、前記反射偏光板３２と前記反射手段２７との間にλ／４位相差板３３を配置しているため、前記反射表示における入射光の利用効率をより高くするとともに、前記透過表示における面光源１５からの照明光の利用効率を高くし、より高輝度の反射表示と透過表示を行うことができる。
【００４８】
図６は前記液晶表示装置の反射表示の光線図であり、反射表示のときは、観察側から入射した外光（非偏光光）ａが、前記液晶表示素子１にその観察側偏光板１２により直線偏光されて入射し、液晶層１１を透過し、さらに後側偏光板１３を透過した光、つまり前記後側偏光板１３の透過軸１３ａと平行な直線偏光ａ１が前記液晶表示素子１の後側に出射する。
【００４９】
そして、前記反射偏光板３２は、その透過軸３２ａを前記液晶表示素子１の後側偏光板１３の透過軸１３ａと平行にして配置されているため、前記液晶表示素子１の後側に出射した直線偏光ａ１は、前記反射偏光板３２を透過して前記λ／４位相差板３３に入射し、このλ／４位相差板３３により１／４波長の位相差を与えられ、円偏光ａ２となって前記反射手段２７に入射し、この反射手段２７の第１と第２のプリズムアレイ２８，３０により反射される。
【００５０】
図７は前記反射手段２７による光反射の概念図であり、この図は、前記反射手段２７を図６の横方向（第１のプリズムアレイ２８の複数のプリズム部２９の長さ方向に対して直交する方向）から見た図である。
【００５１】
図７のように、前記液晶表示素子１側から前記反射手段２７に入射した光は、まず第１のプリズムアレイ２８に入射し、この第１のプリズムアレイ２８の複数のプリズム部２９により反射された光、つまり図４のように隣合う一方のプリズム部２９の傾斜面と他方のプリズム部２９の傾斜面とにより順次反射された光が前記液晶表示素子１側に出射する。
【００５２】
また、前記第１のプリズムアレイ２８を反射されずに透過した光は、第２のプリズムアレイ３０に入射し、この第２のプリズムアレイ３０の複数のプリズム部３１により反射された光（隣合う一方のプリズム部３１の傾斜面と他方のプリズム部３１の傾斜面とにより順次反射された光）が前記第１のプリズムアレイ２８に再び入射し、この第１のプリズムアレイ２８を透過して前記液晶表示素子１側に出射する。
【００５３】
さらに、前記第１のプリズムアレイ２８を透過して前記第２のプリズムアレイ３０に入射した光のうち、前記第２のプリズムアレイ３０を反射されずに透過した光は、前記面光源１５の導光板１６の出射面１８とは反対側に設けられた反射膜１９により反射され、前記第２のプリズムアレイ３０と第１のプリズムアレイ２８とを透過して前記液晶表示素子１側に出射する。
【００５４】
また、前記第１のプリズムアレイ２８を透過して前記第２のプリズムアレイ３０に入射し、前記第２のプリズムアレイ３０により反射されて前記第１のプリズムアレイ２８に再び入射した光のうち、前記第１のプリズムアレイ２８により後側（液晶表示素子１側とは反対側）に反射された光は、前記第２のプリズムアレイ３０により反射され、前記第１のプリズムアレイ２８を透過して前記液晶表示素子１側に出射する。
【００５５】
同様に、前記面光源１５の反射膜１９により反射された光のうち、前記第１のプリズムアレイ２８または第２のプリズムアレイ３０により後側に反射された光は、前記反射膜１９により再び反射され、前記第２のプリズムアレイ３０と第１のプリズムアレイ２８とを透過して前記液晶表示素子１側に出射する。
【００５６】
なお、前記液晶表示素子１側から前記反射手段２７に入射した光は円偏光ａ２であり、前記反射手段２７の第１と第２のプリズムアレイ２８，３０により反射された光はそれぞれ、これらのプリズムアレイ２８，３０の複数のプリズム部２９，３１の傾斜面と平行な振動光の割合が多い光、前記プリズムアレイ２８，３０を透過した光はそれぞれ、前記複数のプリズム部２９，３１の傾斜面に対して垂直な振動光の割合が多い光であるため、前記反射手段２７により反射された光（面光源１５の反射膜１９により反射された光を含む）は、様々な方向の振動光を含んだ光である。
【００５７】
そして、前記反射手段２７により反射された様々な方向の振動信号成分を含んだ光は、図６のように、前記λ／４位相差板３３により１／４波長の位相差を与えられて前記反射偏光板３２に入射し、その光のうちの前記反射偏光板３２の透過軸３２ａと平行な偏光成分の光ａ３が、前記反射偏光板３２を透過して前記液晶表示素子１に再入射し、この液晶表示素子１を透過して観察側に出射する。
【００５８】
また、前記λ／４位相差板３３を透過して前記反射偏光板３２に入射した光のうちの前記反射偏光板３２の反射軸３２ｂと平行な偏光成分の光ａ４は、前記反射偏光板３２により反射され、前記λ／４位相差板３３により１／４波長の位相差を与えられ、円偏光ａ５となって前記反射手段２７に入射し、この反射手段２７により図７のように反射され、その反射光（様々な方向の振動光を含んだ光）が、図６のように、前記λ／４位相差板３３により１／４波長の位相差を与えられて前記反射偏光板３２に入射し、その光のうちの前記反射偏光板３２の透過軸３２ａと平行な偏光成分の光ａ６が、前記反射偏光板３２を透過して前記液晶表示素子１に再入射し、この液晶表示素子１を透過して観察側に出射する。
【００５９】
そのため、この液晶表示装置は、観察側から入射し、前記液晶表示素子１を透過した光を効率良く反射して前記液晶表示素子１に再入射させることができ、したがって、前記反射表示における入射光の利用効率を高くし、高輝度の反射表示を行うことができる。
【００６０】
図８は前記液晶表示装置の透過表示の光線図であり、透過表示のときは、前記面光源１５から照射された照明光（非偏光光）ｂが、前記反射手段２７の第２のプリズムアレイ３０と第１のプリズムアレイ２８とを透過して前記λ／４位相差板３３に入射する。
【００６１】
なお、前記面光源１５から照射された照明光ｂのうちの前記第２のプリズムアレイ３０を透過せずに反射された光は、前記面光源１５の反射膜１９により反射され、前記第１のプリズムアレイ２８を透過せずに反射された光は、前記面光源１５の反射膜１９により反射され、前記第１のプリズムアレイ２９により反射された光は、前記第２のプリズムアレイ３０または前記面光源１５の反射膜１９により反射され、前記第２のプリズムアレイ３０を透過し、さらに前記第１のプリズムアレイ２８を透過した光が前記λ／４位相差板３３に入射する。
【００６２】
前記反射手段２７を透過した光は、様々な方向の振動信号成分を含んだ光であり、その光が前記λ／４位相差板３３により１／４波長の位相差を与えられて前記反射偏光板３２に入射し、その光のうちの前記反射偏光板３２の透過軸３２ａと平行な偏光成分の光ｂ１が、前記反射偏光板３２を透過して前記液晶表示素子１に入射し、この液晶表示素子１を透過して観察側に出射する。
【００６３】
また、前記反射偏光板３２に入射した光のうちの前記反射偏光板３２の反射軸３２ｂと平行な偏光成分の光ｂ２は、前記反射偏光板３２により反射され、前記λ／４位相差板３３により１／４波長の位相差を与えられ、円偏光ｂ３となって前記反射手段２７に入射し、この反射手段２７により反射され、その反射光（様々な方向の振動光を含んだ光）が、前記λ／４位相差板３３により１／４波長の位相差を与えられて前記反射偏光板３２に入射し、その光のうちの前記反射偏光板３２の透過軸３２ａと平行な偏光成分の光ｂ４が、前記反射偏光板３２を透過して前記液晶表示素子１に入射し、この液晶表示素子１を透過して観察側に出射する。
【００６４】
そのため、この液晶表示装置は、前記面光源１５から照射された照明光を効率良く前記液晶表示素子１に入射させることができ、したがって、前記透過表示における照明光の利用効率を高くし、高輝度の透過表示を行うことができる。
【００６５】
さらに、この液晶表示装置において、前記液晶表示素子１に備えさせた赤、緑、青の３色のフィルタ７Ｒ，７Ｇ，７Ｂからなるカラーフィルタ７は、このカラーフィルタ７を往復して透過した着色光のＣＩＥ色度図上におけるホワイトポイントのｘコーディネイト値とｙコーディネイト値が、ｘ＝０．２８０〜０．３２０，ｙ＝０．２８５〜０．３２５の範囲となる分光特性を有している。
【００６６】
前記カラーフィルタ７のＣＩＥ色度図上におけるホワイトポイントは、次のようにして求めることができる。  
前記赤、緑、青の３色のフィルタ７Ｒ，７Ｇ，７Ｂからなるカラーフィルタ７の分光透過率をＷ(λ)とし、赤色フィルタ７Ｒの分光透過率をＴＲ(λ)、緑色フィルタ７Ｇの分光透過率をＴＧ(λ)、青色フィルタ７Ｂの分光透過率をＴＢ(λ)とすると、前記カラーフィルタ７の分光透過率をＷ(λ)は、
Ｗ(λ)＝ＴＲ(λ)＋ＴＧ(λ)＋ＴＢ(λ)
で表され、４００〜７００ｎｍの可視光帯域におけるＸＹＺ表色系での３刺激値Ｘ，Ｙ，Ｚは、次の（１）〜（３）式で表される。
【００６７】
【数１】
2009157276.tif 000003
【００６８】
また、入射光が前記カラーフィルタ７を往復して透過する反射表示での前記カラーフィルタ７の分光透過率をＷ´(λ)とし、
Ｗ´(λ)＝ＴＲ２(λ)＋ＴＧ２(λ)＋ＴＢ２(λ)
とすると、前記ＸＹＺ表色系での３刺激値Ｘ，Ｙ，Ｚは、次の（４）〜（６）式で表される。
【００６９】
【数２】
2009157276.tif 000004
【００７０】
そして、前記ＣＩＥ色度図上におけるホワイトポイントのｘコーディネイト値とｙコーディネイト値は、前記３刺激値Ｘ，Ｙ，Ｚにより次の（７）式及び（８）式で表すことができる。
【００７１】
【数３】
2009157276.tif 000005
【００７２】
したがって、前記カラーフィルタ７のＣＩＥ色度図上におけるホワイトポイントのｘコーディネイト値とｙコーディネイト値は、前記（４）〜（６）式のＸ，Ｙ，Ｚの値に基づいて前記（７）式及び（８）式により求めることができる。
【００７３】
すなわち、前記カラーフィルタ７は、このカラーフィルタ７の分光分布曲線の積分値を２乗して求めたホワイトポイントのｘコーディネイト値とｙコーディネイト値が、ｘ＝０．２８０〜０．３２０，ｙ＝０．２８５〜０．３２５の範囲となる分光特性を有している。
【００７４】
図９は前記カラーフィルタ７を往復して透過した着色光のＣＩＥ色度図上におけるホワイトポイントを、従来の反射／透過型液晶表示装置の液晶表示素子に設けられているカラーフィルタを往復して透過した着色光のホワイトポイントと比較して示しており、前記カラーフィルタ７を往復して透過した着色光のホワイトポイント５０Ｗは、ｘ＝０．２８０〜０．３２０，ｙ＝０．２８５〜０．３２５の範囲（図９ではｘ＝０．２９７，ｙ＝０．３０８）であり、従来のカラーフィルタを往復して透過した着色光のホワイトポイント５１Ｗに比べて、無彩色点Ｗ（ｘ＝０．３１０，ｙ＝０．３１７）に近い。
【００７５】
図１０は上記実施例の液晶表示装置と、従来の反射／透過型液晶表示装置それぞれの反射表示のときのＣＩＥ色度図上におけるホワイトポイントを示しており、実施例の液晶表示装置におけるホワイトポイントは、前記カラーフィルタ７の分光特性を、前記カラーフィルタ７を往復して透過した着色光のホワイトポイントが図９のようにｘ＝０．２９７ｍ，ｙ＝０．３０８になるように設定したときの値である。
【００７６】
図１０のように、上記実施例の液晶表示装置は、反射表示のホワイトポイント６０Ｗが、ｘ＝０．３０５，ｙ＝０．３１８であり、従来の反射／透過型液晶表示装置の反射表示のときのホワイトポイント６１Ｗに比べて無彩色点Ｗに近く、したがって、高品質のカラー画像を反射表示により表示することができる。
【００７７】
上記実施例の液晶表示装置において、前記カラーフィルタ７は、このカラーフィルタ７を往復して透過した着色光のＣＩＥ色度図上におけるホワイトポイントのｘコーディネイト値とｙコーディネイト値が、ｘ＝０．２９５〜０．３０５，ｙ＝０．３０５〜０．３２５の範囲となる分光特性を有していることが好ましく、このようにすることにより、反射表示のホワイトポイント６０Ｗを無彩色点Ｗに近くし、高品質のカラー画像を反射表示により表示することができる。
【００７８】
さらにまた、この液晶表示装置においては、前記面光源１５の複数の発光素子２０を、青色光を発する青色発光ダイオード（以下、青色ＬＥＤという）の出射側に、前記青色ＬＥＤが発する光により励起されて赤色の蛍光と緑色の蛍光とを発する蛍光層が設けられた擬似白色発光素子とすることにより、透過表示のときも、赤、緑、青の３色の画素による白表示が無彩色に近い、高品質のカラー画像を表示することができるようにしている。
【００７９】
図１１は前記発光素子２０の拡大断面図であり、この発光素子２０は、樹脂成形品からなる１つの面が開放した箱状の筐体２１の内底面の中央部に青色ＬＥＤ２２を配置し、前記筐体２１内に、透明樹脂等の透明材２４に微粒子状の赤色蛍光物質２５と緑色蛍光物質２６とを予め定めた割合で分散させた蛍光層（以下、赤色・緑色蛍光層という）２３を充填して構成されている。
【００８０】
この擬似白色発光素子２０は、前記青色ＬＥＤ２２が発する青色光と、前記赤色・緑色蛍光層２３の赤色蛍光物質２５及び緑色蛍光物質２６が発する赤色蛍光及び緑色蛍光とからなる擬似白色光を出射する。
【００８１】
なお、前記擬似白色発光素子２０は、図１１の構成のものに限らず、例えば、前記青色ＬＥＤ２２の出射側に、透明材に赤色蛍光物質を分散させた赤色蛍光層と、透明材に緑色蛍光物質を分散させた緑色蛍光層とを積層して設けたものでもよい。
【００８２】
図１２は前記青色ＬＥＤ２２の出射側に赤色・緑色蛍光層２３を設けた擬似白色発光素子（以下、実施例の擬似白色発光素子という）２０と、青色ＬＥＤの出射側に黄色蛍光層を設けた擬似白色発光素子（以下、従来の擬似白色発光素子という）と、赤、緑、青の３色のＬＥＤからなる発光素子（以下、三原色発光素子という）がそれぞれ発する光の分光分布図であり、図において、２０ａは実施例の擬似白色発光素子２０が発する光の分光分布、２０ｂは従来の擬似白色発光素子が発する光の分光分布、２０ｃは三原色発光素子が発する光の分光分布を示している。
【００８３】
図１２のように、青色ＬＥＤの出射側に黄色蛍光層を設けた従来の擬似白色発光素子は、４５０〜４７０ｎｍと５３０〜５６０ｎｍの２つの波長帯域にそれぞれ光強度のピークをもった擬似白色光を発するのに対し、青色ＬＥＤ２２の出射側に赤色・緑色蛍光層２３を設けた実施例の擬似白色発光素子２０が発する光は、４５０〜４７０ｎｍ、５２０〜５５０ｎｍ、６２０〜６５０ｎｍの各波長帯域にそれぞれ光強度のピークをもった擬似白色光である。
【００８４】
そのため、前記実施例の擬似白色発光素子２０は、１色のＬＥＤを備えたものでありながら、赤、緑、青の３色のＬＥＤからなる三原色発光素子が発する光に近い分光分布の擬似白色を発することができる。この擬似白色発光素子２０は、４６５±２ｎｍ、５３５±２ｎｍ、６３５±２ｎｍの各波長にそれぞれ光強度のピークをもった擬似白色光を発するものが好ましい。
【００８５】
図１３は、面光源１５に、青色ＬＥＤ２２の出射側に赤色・緑色蛍光層２３を設けた擬似白色発光素子２０を備えさせた上記実施例の液晶表示装置と、前記面光源１５に、青色ＬＥＤの出射側に黄色蛍光層を設けた従来の擬似白色発光素子を備えさせた比較例１の液晶表示装置と、前記面光源１５に、赤、緑、青の３色のＬＥＤからなる三原色発光素子を備えさせた比較例２の液晶表示装置それぞれの透過表示のときのＣＩＥ色度図上におけるホワイトポイントを示している。
【００８６】
なお、これらの表示装置はいずれも、前記液晶表示素子１のカラーフィルタ７の分光特性を、前記カラーフィルタ７を往復して透過した着色光のホワイトポイント５０Ｗがｘ＝０．２９７，ｙ＝０．３０８になるように設定したものであり、反射表示の色品質は実質的に同じである。
【００８７】
図１３のように、上記実施例の液晶表示装置の透過表示のホワイトポイント７０Ｗは、ｘ＝０．２９９，ｙ＝０．２９２であり、前記比較例１の液晶表示装置の透過表示のホワイトポイント７１Ｗは、ｘ＝０．２７５，ｙ＝０．２５３、前記比較例２の液晶表示装置の透過表示のホワイトポイント７２Ｗは、ｘ＝０．３０２，ｙ＝０．３０６である。
【００８８】
すなわち、上記実施例の液晶表示装置の透過表示のホワイトポイント７０Ｗは、前記比較例１の液晶表示装置の透過表示のホワイトポイント７１Ｗに比べて、無彩色点Ｗに近いく、前記比較例２の液晶表示装置とほとんど差の無い高品質のカラー画像を表示することができる。
【００８９】
さらに、上記実施例の液晶表示装置は、前記液晶表示素子１と前記反射偏光板３２との間に、５５〜８５％のヘイズ値を有する第１の拡散層３４を設けているため、前記反射手段２７の第１と第２のプリズムアレイ２８，３０の複数のプリズム部２９，３０のピッチと、前記液晶表示素子１の複数の画素の配列ピッチとのずれによって生じるモアレ縞の発生を無くし、反射表示及び透過表示の品質をさらに向上させることができる。この第１の拡散層３４のヘイズ値は、好ましくは５５〜８５％、より好ましくは８０％であり、このようにすることにより、前記モアレ縞の発生をさらに硬化的に無くすことができる。
【００９０】
また、上記実施例の液晶表示装置は、前記面光源１５と前記反射手段２７との間に、２０〜５０％のヘイズ値を有する第２の拡散層３５を設けているため、前記面光源１５からの照明光の輝度分布を均一にして液晶表示素子１に入射させ、輝度むらの無い高品質の透過表示を行うことができる。
【００９１】
なお、上記実施例の液晶表示装置は、ＴＮ型の液晶表示素子１を備えたものであるが、液晶表示素子は、ＴＮ型に限らず、液晶分子を一対の基板間において１８０°〜２７０°のねじれ角でツイスト配向させたＳＴＮ型、液晶分子を基板面に対して実質的に垂直に配向させた垂直配向型、液晶分子を分子長軸を一方向に揃えて基板面と実質的に平行に配向させた非ツイストの水平配向型、液晶分子をベンド配向させるベンド配向型のいずれか、あるいは強誘電性または反強誘電性液晶表示素子でもよい。
【００９２】
さらに、前記液晶表示素子は、一対の基板の内面にそれぞれ複数の画素を形成するための電極を設けたものに限らず、一対の基板のいずれか一方の内面に、複数の画素を形成するための第１の電極と、それよりも液晶層側に前記第１の電極と絶縁して形成された複数の細長電極部を有する第２の電極とを設け、これらの電極間に横電界（基板面に沿う方向の電界）を生じさせて液晶分子の配向状態を変化させる横電界制御型のものでもよい。
【００９３】
また、上記上記実施例の液晶表示装置では、反射手段２７を第１と第２のプリズムアレイ２８，３０により構成しているが、前記反射手段２７は、前記第１と第２のプリズムアレイ２８，３０のいずれか一方だけで構成してもよく、さらにプリズムアレイは、四角錐状の複数のプリズム部を行方向及び列方向に配列させて形成したものでもよい。
【図面の簡単な説明】
【００９４】
【図１】この発明の一実施例を示す液晶表示装置の分解斜視図。
【図２】前記液晶表示装置の側面図。
【図３】前記液晶表示装置の液晶表示素子の一部分の拡大断面図。
【図４】前記液晶表示装置の反射手段を構成する第１と第２のプリズムアレイの一方の一部分の拡大図。
【図５】前記液晶表示装置における液晶表示素子の液晶層の液晶分子配向方向及び一対の偏光板の透過軸の向きと、反射偏光板の透過軸及び反射軸の向きと、λ／４位相差板の遅相軸の向きとを示す図。
【図６】前記液晶表示装置の反射表示の光線図。
【図７】前記反射手段による光反射の概念図。
【図８】前記液晶表示装置の透過表示の光線図。
【図９】実施例の液晶表示装置における液晶表示素子のカラーフィルタ７を往復して透過した着色光のＣＩＥ色度図上におけるホワイトポイントを、従来の反射／透過型液晶表示装置の液晶表示素子に設けられているカラーフィルタを往復して透過した着色光のホワイトポイントと比較して示す図。
【図１０】実施例の液晶表示装置と、従来の反射／透過型液晶表示装置それぞれの反射表示のときのＣＩＥ色度図上におけるホワイトポイントを示す図。
【図１１】実施例の液晶表示装置における面光源の発光素子の拡大断面図。
【図１２】青色ＬＥＤの出射側に赤色・緑色蛍光層を設けた擬似白色発光素子と、青色ＬＥＤの出射側に黄色蛍光層を設けた従来の擬似白色発光素子と、赤、緑、青の３色のＬＥＤからなる三原色発光素子がそれぞれ発する光の分光分布図
【図１３】実施例の液晶表示装置と、前記面光源に従来の擬似白色発光素子を備えさせた比較例１の液晶表示装置と、前記面光源に三原色発光素子を備えさせた比較例２の液晶表示装置それぞれの透過表示のときのＣＩＥ色度図上におけるホワイトポイントを示す図。
【符号の説明】
【００９５】
１…液晶表示素子、２，３…基板、４…画素電極、５…ＴＦＴ、６…対向電極、７…カラーフィルタ、７Ｒ…赤色フィルタ、７Ｇ…緑色フィルタ、７Ｂ…青色フィルタ、８，９…配向膜、２ａ，３ａ…配向処理方向、１１…液晶層、１２，１３…偏光板、１２ａ，１３ａ…透過軸、１５…面光源、１６…導光板、１７…入射面、１８…出射面、１９…反射膜、２０…擬似白色発光素子、２２…青色ＬＥＤ、２３…赤色・緑色蛍光層、２４…透明材、２５…赤色蛍光物質、２６…緑色蛍光物質、２７…反射手段、２８，３０…プリズムアレイ、２９，３１…プリズム部、３２…反射偏光板、３２ａ…透過軸、３２ｂ…反射軸、３３…λ／４位相差板、３３ａ…遅相軸、３４，３５…拡散層。
【図１】
2009157276.tif 000006
【図２】
2009157276.tif 000007
【図３】
2009157276.tif 000008
【図４】
2009157276.tif 000009
【図５】
2009157276.tif 000010
【図６】
2009157276.tif 000011
【図７】
2009157276.tif 000012
【図８】
2009157276.tif 000013
【図９】
2009157276.tif 000014
【図１０】
2009157276.tif 000015
【図１１】
2009157276.tif 000016
【図１２】
2009157276.tif 000017
【図１３】
2009157276.tif 000018